(57)【特許請求の範囲】
【請求項１】
音声多重テレビジョン放送のステレオ放送とバイリンガル放送で異なる周波数となる放送識別信号一定周期間の内部基準クロック数をカウントする第一カウンター回路と、前記第一カウンター回路の出力パルスを前記第一カウンター回路のカウント周期の整数倍期間カウントする第二のカウンター回路とを備えた音声多重テレビジョン放送識別回路。
【発明の詳細な説明】
【０００１】
【発明の属する技術分野】
本発明は、音声多重テレビジョン放送を受信する装置において、その放送内容を識別するための音声多重テレビジョン放送識別回路に関するものである。
【０００２】
【従来の技術】
近年、カラーテレビジョン・ビデオテープレコーダーだけでなく、車載用テレビジョン・カーナビゲーション装置の機能として普及度がさらに高まってきている音声多重テレビジョン放送受信装置において、音声多重テレビジョン放送識別回路は必要不可欠な回路である。
【０００３】
図２は、従来の音声多重テレビジョン放送識別回路の構成を示しており、１は９ビットで動作して５５．０６９ｋＨｚの基準クロックをカウントする第一カウンター、２は、５５．０６９ｋＨｚの基準クロックが入力される入力端子、３はステレオ放送時に９８２．５Ｈｚとなり、バイリンガル放送時に９２２．５Ｈｚとなる放送識別信号クロックが入力される入力端子、４は２ビットで動作し識別信号クロックをカウントする第三カウンター、５は電源投入時にリセット信号を入力する入力端子、６は、リセット信号をＲ端子に与え、第一カウンター１の出力をＤ端子に入力して動作するステレオ出力用のＤフリップフロップ回路、７は、リセット信号をＲ端子に与え、第一カウンター１の出力をＤ端子に入力して動作するバイリンガル出力用のＤフリップフロップ回路、８は、ステレオ受信結果を出力する経路、９は、バイリンガル受信結果を出力する経路、１０は、ステレオ受信結果及びバイリンガル受信結果を個々に入力して出力を切り換える動作を行う出力切換回路である。
【０００４】
以上のように構成された音声多重テレビジョン放送識別回路について、以下にその動作を説明する。
【０００５】
放送識別信号は、ステレオ放送時に９８２．５Ｈｚ、バイリンガル放送時に９２２．５Ｈｚと異なる周波数である。ここで、音声多重テレビジョン放送識別回路は、ステレオ放送或いはバイリンガル放送の放送識別信号を一定周期において、５５．０６９ｋＨｚ基準クロック入力端子２より与えられる信号が、９ビットで動作する第一カウンター１でカウントしたカウント数が異なることを検出することにより受信放送を識別している。
【０００６】
まず、図示しないが内部発振器より供給される５５．０６９ｋＨｚ基準クロックが入力端子２からカウンター１に入力される。カウンター１は、電源投入時にリセット信号が入力端子５から入力された時にリセットされ、また、識別信号クロックが入力端子３から与えられ４分周された信号１６によりリセットされ、その間のカウント数が２０８〜２３１回の時にＤフリップフロップ回路６のデータ入力にＨＩ信号を出力し、カウント数が２３２〜２５５回の時にＤフリップフロップ回路７のデータ入力にＨＩ信号を出力する。
【０００７】
Ｄフリップフロップ回路６及び７のクロック入力には、カウンター４から識別信号クロックの入力端子３から与えられた信号を４分周した信号１６を入力し、リセット入力には、入力端子３から与えられた識別信号クロックを４分周した信号を半周期だけ遅延させた信号を入力する。識別信号クロックの４周期において、カウンター１の識別結果が、ステレオ放送受信時にはステレオ受信出力経路８にＨＩのパルス信号が出力され、バイリンガル放送受信時にはバイリンガル受信出力経路９にＨＩのパルス信号が出力される。出力切換回路１０は、ステレオ受信出力経路８がＨＩのパルス信号出力時にはステレオ放送が出力されるように、バイリンガル受信出力経路９がＨＩのパルス信号出力時にはバイリンガル放送が出力されるように、さらに、ステレオ受信出力経路８及びバイリンガル受信出力経路９が共にＬＯの時はモノラル放送を出力するように制御される回路である。
【０００８】
電源投入時に入力端子５より入力されるリセット信号がカウンター１及びＤフリップフロップ回路６及び７のリセット端子に入力されて、Ｄフリップフロップ回路６及び７の出力を共にＬＯにする。この動作の目的は、電源投入時の初期設定をモノラルにすることである。
【０００９】
【発明が解決しようとする課題】
しかしながら、上記従来の音声多重テレビジョン放送識別回路においては、特に受信する電波が弱い場合に、放送識別信号に重畳される多くのノイズにより、ステレオ放送或いはバイリンガル放送の放送識別信号の４周期において、カウンター１で計数される５５．０６９ｋＨｚ基準クロックのカウント数を誤ってカウントする場合がある。その結果、例えばステレオ放送を受信している場合においてもバイリンガル放送やモノラルを受信していると誤判別したり、出力切換回路に対して不安定な受信放送識別信号を出力して短期間にステレオ放送とバイリンガル放送及びモノラル放送を繰り返して切り換えたりして本来出力するべき放送内容と異なる放送を出力する。この結果、装置の使用者に不快感を与えるという問題があった。
【００１０】
本発明は、上記従来の問題点を解決するもので、出力切換回路に対して正確かつ安定に受信放送の内容を識別する信号を出力することを可能にした音声多重テレビジョン放送識別回路を提供することを目的とした。
【００１１】
【課題を解決するための手段】
この課題を解決するために本発明の音声多重テレビジョン放送識別回路は、放送識別信号４周期間の内部基準クロック数をカウントする第一カウンター回路だけでなく、前記第一カウンター回路の出力パルスを放送識別信号１６周期間カウントする第二カウンター回路も備えている。
【００１２】
この構成により、第一カウンターの出力パルスを、第二カウンター回路が、第一カウンターのカウント周期の４倍期間カウントするため、第一カウンター回路の受信放送内容識別信号出力が安定しているかを判断することができる。
【００１３】
【発明の実施の形態】
以下、本発明の一実施形態について、図面を参照しながら説明する。
【００１４】
図１は、本発明の一実施形態における音声多重テレビジョン放送識別回路の構成図を示すものである。
【００１５】
１は９ビットで動作して５５．０６９ｋＨｚの基準クロックをカウントする第一カウンター、２は、５５．０６９ｋＨｚの基準クロックが入力される入力端子、３はステレオ放送時に９８２．５Ｈｚとなり、バイリンガル放送時に９２２．５Ｈｚとなる放送識別信号クロックが入力される入力端子、１１は４ビットで動作し識別信号クロックをカウントする第四カウンター、５は電源投入時にリセット信号を入力する入力端子、６は、リセット信号をＲ端子に与え、第一カウンター出力をＤ端子に入力して動作するステレオ出力用のＤフリップフロップ回路、７は、リセット信号をＲ端子に与え、第一カウンター出力をＤ端子に入力して動作するバイリンガル出力用のＤフリップフロップ回路、１２は、２ビットで動作し、識別信号１６周期間のステレオ用Ｄフリップフロップ回路６の出力パルスをカウントするステレオ用第二カウンター、１３は、２ビットで動作し、識別信号１６周期間のバイリンガル用Ｄフリップフロップ回路７の出力パルスをカウントするバイリンガル用第二カウンター、１４は、リセット信号をＲ端子に与え、ステレオ用第二カウンター１２の出力をＤ端子に入力して動作するステレオ出力用のＤフリップフロップ回路、１５は、リセット信号をＲ端子に与え、バイリンガル用第二カウンター１３の出力をＤ端子に入力して動作するバイリンガル出力用のＤフリップフロップ回路、８は、ステレオ受信結果を出力する経路、９は、バイリンガル受信結果を出力する経路、１０は、ステレオ受信結果及びバイリンガル受信結果を個々に入力して出力を切り換える動作を行う出力切換回路である。
【００１６】
以上のように構成された本実施形態の音声多重テレビジョン放送識別回路について、以下にその動作を説明する。
【００１７】
音声多重テレビジョン放送識別回路は、ステレオ放送時９８２．５Ｈｚ、バイリンガル放送時９２２．５Ｈｚと異なる周波数となる放送識別信号一定周期間における第一カウンター１で計数される５５．０６９ｋＨｚ基準クロックのカウント数が異なることを検出することにより、受信放送を識別している。
【００１８】
まず、第一カウンター１に、入力端子２を通して、内部発振器より供給される５５．０６９ｋＨｚ基準クロックが入力される。第一カウンター１は、電源投入時にリセット信号が入力端子５から入力された時にリセットされ、また、識別信号クロックが入力端子３から与えられ、４分周された信号１６によりリセットされ、その間のカウント数が２０８〜２３１回の時にＤフリップフロップ回路６のデータ入力にＨＩ信号を出力し、カウント数が２３２〜２５５回の時にＤフリップフロップ回路７のデータ入力にＨＩ信号を出力する。
【００１９】
次に、Ｄフリップフロップ回路６及び７の、クロック入力に入力端子３より与えられた識別信号クロックを４分周した信号１６を入力し、リセット入力に識別信号クロックの４分周信号１６を半周期遅延させた信号１７を入力することで、識別信号クロック４周期間における第一カウンターの識別結果がステレオ或いはバイリンガルであるかの出力パルスを、ステレオ用第二カウンター１２及びバイリンガル用第二カウンター１３に供給する。ステレオ用第二カウンター１２、バイリンガル用第二カウンター１３は、電源投入時にリセット信号が入力端子５から入力された時にリセットされ、また、識別信号クロックが入力端子３から与えられ、１６分周された信号１８によりリセットされ、その間のカウント数４回の時にＤフリップフロップ回路１４及び１５のデータ入力にＨＩ信号を出力する。
【００２０】
Ｄフリップフロップ回路１４及び１５の、クロック入力に第二カウンター１２及び１３Ｄの出力パルスの遅延信号をそれぞれ入力し、リセット入力に識別信号クロックの１６周期間に、ステレオ用第二カウンター１２、バイリンガル用第二カウンター１３のカウント数が０回の時のみリセット信号をそれぞれ入力する。
【００２１】
その結果として、ステレオ受信結果を出力する経路８には、識別信号クロックの１６周期間において、ステレオ用第二カウンター１２のカウント数が４回の時にＨＩ信号が出力され、以降は識別信号１６周期毎のステレオ用第二カウンター１２のカウント数が０回になるまでＨＩを保持する。
【００２２】
同様に、バイリンガル受信結果を出力する経路９には、識別信号クロックの１６周期間において、バイリンガル用第二カウンター１３のカウント数が４回の時にＨＩ信号を出力し、以降は識別信号１６周期毎のバイリンガル用第二カウンター１３のカウント数が０回になるまでＨＩを保持する。
【００２３】
出力切換回路１０は、ステレオ受信出力経路８がＨＩの時にはステレオ放送が出力されるように、バイリンガル受信出力経路９がＨＩの時にはバイリンガル放送が出力されるように、ステレオ受信出力経路８及びバイリンガル受信出力経路９が共にＬＯの時はモノラル放送を、出力するように制御される回路である。
【００２４】
電源投入時に入力端子５より入力されるリセット信号がカウンター１・２・３及びＤフリップフロップ回路６・７・１４・１５のリセット端子に入力されて、ステレオ受信出力経路８及びバイリンガル受信出力経路９を共にＬＯにする。この動作の目的は、電源投入時の初期設定をモノラルにすることである。
【００２５】
【発明の効果】
以上のように本実施形態によれば、受信する電波が弱い場合に放送識別信号に多く重畳されるノイズや外来ノイズの影響を受けて、第一カウンターのカウント数が不安定となっているか若しくは安定を保っているかを、第一カウンターの出力パルスを第二カウンターでカウントすることにより判定し、第二カウンターのカウント数の変化でヒステリシスを持たせて、ステレオ受信出力及びバイリンガル受信出力を出力切換回路に対して出力することにより、受信する電波の強弱に関わらず、正確・かつ安定に受信放送内容を識別することを実現するものである。
【図面の簡単な説明】
【図１】本発明の一実施形態における音声多重テレビジョン放送識別回路の構成図
【図２】従来の音声多重テレビジョン放送識別回路の構成図
【符号の説明】
１  ９ビットで動作して５５．０６９ｋＨｚの基準クロックをカウントする第一カウンター
２  ５５．０６９ｋＨｚの基準クロックが入力される入力端子
３  ステレオ放送時に９８２．５Ｈｚとなり、バイリンガル放送時に９２２．５Ｈｚとなる放送識別信号クロックが入力される入力端子
４  ２ビットで動作し識別信号クロックをカウントする第三カウンター
５  電源投入時にリセット信号を入力する入力端子
６  リセット信号をＲ端子に与え、第一カウンター１の出力をＤ端子に入力して動作するステレオ出力用のＤフリップフロップ回路
７  リセット信号をＲ端子に与え、第一カウンター１の出力をＤ端子に入力して動作するバイリンガル出力用のＤフリップフロップ回路
８  ステレオ受信結果を出力する経路
９  バイリンガル受信結果を出力する経路
１０  ステレオ受信結果及びバイリンガル受信結果を個々に入力して出力を切り換える動作を行う出力切換回路
１１  ４ビットで動作し識別信号クロックをカウントする第四カウンター
１２  ２ビットで動作し、識別信号１６周期間のステレオ用Ｄフリップフロップ回路６の出力パルスをカウントするステレオ用第二カウンター
１３  ２ビットで動作し、識別信号１６周期間のバイリンガル用Ｄフリップフロップ回路７の出力パルスをカウントするバイリンガル用第二カウンター
１４  リセット信号をＲ端子に与え、ステレオ用第二カウンター１２の出力をＤ端子に入力して動作するステレオ出力用のＤフリップフロップ回路
１５  リセット信号をＲ端子に与え、バイリンガル用第二カウンター１３の出力をＤ端子に入力して動作するバイリンガル出力用のＤフリップフロップ回路
１６  放送識別信号クロックを４分周した信号
１７  放送識別信号クロックを４分周した信号の半周期遅延信号
１８  放送識別信号クロックを１６分周した信号
【図１】
0003573057.tif 000002
【図２】
0003573057.tif 000003